【事件の表示】
　特許第２８４０７８５号「薬液用プラスチックブロー容器」の請求項１に係る特許に対する特許異議の申立てについて、次のとおり決定する。
【結　論】
　訂正を認める。
　特許第２８４０７８５号の請求項１に係る特許を維持する。
【理　由】
（１）手続の経緯
　本件特許第２８４０７８５号は、平成２年３月１６日に出願され、平成１０年１０月２３日に設定登録がされ、平成１１年５月１２日付けで、申立人コッチャー−プラスティック　マシーネンバウ　ゲゼルシャフト　ミット　ベシュレンクテル　ハフツングより特許異議の申立てがされ、その後、取消理由通知の指定期間内である平成１２年２月１日に訂正請求がされたものである。
　
（２）訂正事項と訂正の適否についての判断
　本件訂正請求は、以下のとおりである。
ａ．特許請求の範囲の請求項１中の「・・・ブロー成形製の、薬液用プラスチックブロー容器・・・」を「・・・ブロー成形製の、胴部を変形させて外気を入れずに薬液の投与を行う自然滴下タイプの薬液用プラスチックブロー容器・・・」とする。
ｂ．発明の詳細な説明の「課題を解決するための手段」の記載内容を、特許請求の範囲の訂正に伴って整合させる。
　
　そこで、検討すると、上記特許請求の範囲の訂正は、「薬液用プラスチックブロー容器」を「胴部を変形させて外気を入れずに薬液の投与を行う自然滴下タイプの薬液用プラスチックブロー容器」に限定するものであり、また、発明の詳細な説明の訂正は特許請求の範囲の訂正に整合させたものであるから、本件訂正は特許法第１２０条の４第２項ただし書き第１号の特許請求の範囲の減縮に該当するものであり、また、当該事項は、全体として願書に最初に添付した明細書に記載した事項の範囲内においてしたものであると認められ、さらに、実質的に特許請求の範囲を拡張又は変更するものではないから、特許法第１２０条の４第３項で準用する第１２６条第２項及び第３項の規定にも適合する。
　
　さらに、本件訂正後における特許請求の範囲に記載されている事項により特定される発明が、特許出願の際独立して特許を受けることができない発明であるとすることもできない（後述のとおり特許異議の申立ては理由がなく、その他に本件訂正後の特許請求の範囲に記載されている事項により特定される発明が特許を受けることができない発明であるとする理由を発見しない）ので、本件訂正は特許法第１２０条の４第３項で準用する第１２６条第４の規定にも適合するものである。
　
　したがって、本件訂正請求は、これを認めることとする。
　
（３）特許異議の申立てについての判断
ア．申立ての理由の概要
　申立人　コッチャー−プラスティック　マシーネンバウ　ゲゼルシャフト　ミット　ベシュレンクテル　ハフツングの主張は、請求項１に関する発明は、甲第１号証（スイス国特許第５１７４９５号公報）に記載された発明と実質的に同一であり、また、甲第１号証、甲第２号証（ドイツ国実用新案第７３０４４９９号公報）に記載された発明に基づいて、その発明の属する技術分野における通常の知識を有するものが容易に発明をすることができたものであるので、特許法第２９条第１項第３号および第２項の規定により、特許を受けることができないというにある。
イ．甲各号証記載の発明
　甲第１号証には、その明細書及び図面からみて、「横断面形状が短軸側の幅に対する長軸側の幅が2.0以上である扁平状の胴部と該胴部の上端縁に吊下部を形成するとともに該胴部の下端縁中心に口部を形成したブロー成形製の薬液用プラスチックブロー容器において、該胴部の下部横断面の短軸側に平行な面の形状を口部に向かって細くなるよう形成するとともに長軸側に平行な面の形状を口部に向かって縮小するロート状としたことを特徴とする薬液用プラスチックブロー容器。」に関する発明が記載されていると認められる。
　また、甲第２号証には、その明細書及び図面からみて、「横断面形状が短軸側の幅に対する長軸側の幅が２．０以上である扁平状の胴部と該胴部の上端縁に吊下部を形成するとともに該胴部の下端縁中心に口部を形成したブロー成形製の、胴部を変形させて外気を入れずに薬液の投与を行う自然滴下タイプの薬液用プラスチックブロー容器において、該胴部の下部横断面の短軸側に平行な面の形状を口部に向かって先鋭状をなす楔形に形成したことを特徴とする薬液用プラスチックブロー容器。」に関する発明が記載されていると認められる。
　
ウ．対比・判断
　訂正明細書の請求項１に係る発明（以下、「本件発明」という。）と甲第１号証及び甲第２号証に記載の発明を比較すると、甲第１号証及び甲第２号証に記載の発明は本件発明を特定する事項である「胴部を変形させて外気を入れずに薬液の投与を行う自然滴下タイプの薬液用プラスチックブロー容器において、長軸側に平行な面の形状を口部に向かって縮小するロート状」とする事項を備えておらず、当該事項によって本件発明は「自然滴下時に背圧が胴部に加わり、効率よい自然滴下状態が得られるとともに、薬液の集積能力が大きくデッドスペースを形成することのない、胴部を変形させて外気を入れずに薬液の投与を行う薬液用プラスチックブロー容器が得られる」という顕著な効果を奏するものであると認められるから、本件発明が甲第１号証及び甲第２号証に記載の発明から容易に発明をすることができたものとはいえず、当然ながら、本件発明が甲第１号証に記載された発明ということもできない。
　また、他に本件請求項１に係る特許を取り消すべき理由を発見しない。
　
　よって、結論のとおり決定する。
【異議決定日】
平成１２年４月４日（２０００．４．４）
【訂正の要旨】
訂正の要旨
　特許権者が求めている訂正の内容は、以下のａ、ｂのとおりである。
ａ．特許請求の範囲を「横断面形状が短軸側の幅に対する長軸側の幅が２．０以上である扁平状の胴部と該胴部の上端縁に吊下部を形成するとともに該胴部の下端縁中心に口部を形成したブロー成形製の、胴部を変形させて外気を入れずに薬液の投与を行う自然滴下タイプの薬液用プラスチックブロー容器において、該胴部の下部横断面の短軸側に平行な面の形状を口部に向かって先鋭状をなす楔形に形成するとともに長軸側に平行な面の形状を口部に向かって縮小するロート状としたことを特徴とする薬液用プラスチックブロー容器。」とする。
ｂ．発明の詳細な説明の「課題を解決するための手段」の記載内容を、特許請求の範囲の訂正に伴って整合させる。
（５４）【発明の名称】
薬液用プラスチックブロー容器
（５７）【特許請求の範囲】
　横断面形状が短軸側の幅に対する長軸側の幅が２．０以上である扁平状の胴部と該胴部の上端縁に吊下部を形成するとともに該胴部の下端縁中心に口部を形成したブロー成形製の
、胴部を変形させて外気を入れずに薬液の投与をおこなう自然滴下タイプの
【発明の詳細な説明】
　［産業上の利用分野］
　本発明は、糖質輸液剤、電解質輸液剤、血漿増量材、浸透圧利尿剤、アミノ酸輸液剤、脂肪乳剤、高カロリー輸液剤等の静脈注射用輸液や、経腸栄養剤、高蛋白栄養剤、成分栄養剤、流動食等の経腸的高カロリー栄養剤の薬液を内部に充填する可擁性のプラスチック容器であって、胴部を変形させて薬液の投与をおこなう、所謂自然滴下タイプのプラスチックブロー容器に関するものである。
　［従来の技術］
　落としても割れないこと、計量であるなどの利点により、近年薬液容器のプラスチック化が急速に進んでいる。なかでも、プラスチック材料の柔軟性を利用して、胴部を変形させて薬液の投与をおこなう自然滴下タイプのものが多用されている。これは、自然滴下の場合、容器内に空気を供給することなく投与が行え、従って容器内に雑菌の侵入の心配のない衛生上の利点を有するためである。この種の薬液用プラスチック容器としては、特開平１−１５８９５５号公報に記載されているものがあり、これは断面形状が楕円形の胴部と、胴部の上端縁に栓体で密封された口部と、胴部の下端縁に吊具を一体に有するものである。
　また、この種の薬液用プラスチック容器で胴部の下部を薬液滴下口に向かってロート状に形成したものは、特開昭５６−９５０５０号公報に示されている。
　［発明が解決しようとする課題］
　上記特開平１−１５８９５５号公報に示された薬液用プラスチック容器は、自然滴下時に薬液が通過する胴部の上端縁が、同一高さに形成された所謂『怒肩』状に形成されているので、自然滴下時の背圧による変形がこの部分ではもはや発生しなくなり、この部分に薬液が滴下の最終段階において残留することになる背圧による自然滴下は、薬液の上部に主に作用し上部側から変形してゆく。そのために自然滴下時の変形は口部側が最後になり、このように怒肩部を形成すると背圧が伝わりにくくなり、この部分が変形せず滴下時のデッドスペースを発生させることとなる。しかも、怒肩部分はその形状より薬液の集積能力が劣るので、薬液の残留部分を形成することになる。
　ところで、上記特開昭５６−９５０５０号公報に示されているように、胴部の下部を薬液滴下口に向かってロート状に形成したものでは、薬液の滴下最終段階におけるデッドスペースは縮小するものの、胴部の下部における幅の大なる方向すなわち短軸側に平行な面から口部に至る方向の薬液の集積効率が劣ることに変わりがなく、薬液の残留量がそれほど減少しないのが実状である。
　本発明は、このような実状に鑑み、胴部の下部横断面の短軸側に平行な面の形状を口部に向かって先鋭状をなす楔形に形成したことにより、胴部の下部における幅の大なる方向、すなわち短軸側に平行な面から口部に至る方向の薬液の流れを良好にして薬液の集積能力を大きく向上させ、しかも背圧による変形のデッドスペースを発生させることのない薬液用プラスチックブロー容器を提供することを目的とするものである。
　［課題を解決するための手段］
　そこで、本発明は上記課題を解決するためのその構成を以下のようにした。それは、
　横断面形状が短軸側の幅に対する長軸側の幅が２．０以上である扁平状の胴部と該胴部の上端縁に吊下部を形成するとともに該胴部の下端縁中心に口部を形成したブロー成形製の、胴部を変形させて外気を入れずに薬液の投与をおこなう自然滴下タイプの薬液用プラスチックブロー容器において、該胴部の下部横断面の短軸側に平行な面の形状を口部に向かって先鋭状をなす楔形に形成するとともに長軸側に平行な面の形状を口部に向かって縮小するロート状としたことを特徴とする薬液用プラスチックブロー容器。
としたものである。
　［作用］
　本発明においては、横断面形状が短軸側の幅に対する長軸側の幅が２．０以上である扁平状の胴部と該胴部の上端縁に吊下部を形成するとともに該胴部の下端縁中心に口部を形成したブロー成形製の薬液用プラスチックブロー容器としたので、自然滴下時に背圧が効率よく胴部に加わり、効率よい自然滴下状態がえられるとともに、該胴部の下端縁の形状を該胴部の下部横断面の短軸側に平行な面の形状を口部に向かって先鋭状をなす楔形に形成するとともに長軸側に平行な面の形状を口部に向かって縮小するロート状としたので、薬液の集積能力が大きくデッドスペースを形成することのない薬液用プラスチックブロー容器がえられるものである。
　［実施例］
　以下に、本発明の一実施例である輸液用プラスチックブロー容器について、図面に基づき説明する。
　１は輸液用プラスチックブロー容器であり、胴部２とその胴部２の上端縁３に一体に連設された吊下部４および胴部２の下端縁５に形成された口部６より構成されている。口部６の口端には内部にゴム栓をそなえる栓体７にて溶着密封されている。胴部２は、その横断面形状が扁平状で、第２図に示す短軸側の幅Ａに対する長軸側の幅Ｂの比率Ｂ／Ａは、約２．５である。このＢ／Ａは、少なくとも２．０であることが必要である。Ｂ／Ａが２．０未満であると、自然滴下時の背圧による変形が少ない力では進行せず、滴下半ばで変形が止まり、薬液の残留が発生することとなる。胴部の下部横断面の短軸側に平行な面の形状を楔形に形成するとともに長軸側に平行な面の形状を口部６に向かって縮小するロート状に形成されている。
　第４図に輸液を充填して自然滴下を行ったときの容器の状態が示されている。輸液用プラスチックブロー容器は、自然滴下が進行するにつれて上部から下部にわたり胴部の変形が伝わってゆく。このとき、胴部の下部横断面の短軸側に平行な面の形状を口部６に向かって先鋭状をなす楔形に形成するとともに長軸側に平行な面の形状を口部６に向かって縮小するロート状に形成されているので、自然滴下時にこの胴部の下部にて効率良く輸液が集積され排出された。
　［発明の効果］
　本発明の薬液用プラスチックブロー容器は、自然滴下時に背圧が胴部に加わり効率よい自然滴下状態が得られるとともに、薬液の集積能力が大きくデッドスペースを形成することのない薬液用プラスチックブロー容器がえられる。
【図面の簡単な説明】
　第１図から第４図は本発明の実施例を説明するもので第１図は本発明に係る輸液用プラスチックブロー容器の正面図、第２図は同上平面図、第３図は同上側面図、第４図は自然滴下の状態を説明する側面図である。
　１……輸液用プラスチックブロー容器、２……胴部、３……上端縁、４……吊下部、５……下端縁、６……口部